(57)【要約】【課題】  一つの帯電装置を、非接触型、接触型の両方の帯電装置として使用できるようにする帯電装置の付属品を提供すること。【解決手段】  ケーシング１内に、高電圧源３に接続された放電電極２を備えた帯電装置に着脱可能にした付属品８であって、筒状本体９と、この筒状本体９の先端から突出した接触電極１０と、上記筒状本体９内において上記接触電極１０と電気的導通状態を維持するとともに、上記帯電装置の高電圧源３に接続するための接続手段１３とを備え、上記筒状本体９内に上記ケーシング１を挿入したときに、上記接続手段１３が上記ケーシング１内に侵入して、上記接続手段１３と上記高電圧源３とが電気的に接続される構成にした。【選択図】  図５
2017135866.tif 000002
【特許請求の範囲】
【請求項１】
ケーシング内に、高電圧源に接続された放電電極を備えた帯電装置に着脱可能にした付属品であって、
筒状本体と、
この筒状本体の先端から突出した接触電極と、
上記筒状本体内において上記接触電極と電気的導通状態を維持するとともに、上記帯電装置の高電圧源に接続するための接続手段とを備え、
上記筒状本体内に上記ケーシングを挿入したときに、上記接続手段が上記ケーシング内に侵入して、上記接続手段と上記高電圧源とが電気的に接続される構成にした帯電装置の付属品。
【請求項２】
上記接続手段は、上記筒状本体の先端内周から突出した突出部材からなり、この突出部材によって上記ケーシング内の高電圧部を保持する請求項１に記載の帯電装置の付属品。
【請求項３】
上記接続手段は、上記筒状本体の先端内周から突出した突出部材からなり、この突出部材が、上記ケーシング内の高電圧部で保持される請求項１に記載の帯電装置の付属品。
【請求項４】
上記突出部材が、互いに対向する一対の板ばね部材からなり、これら板ばね部材がその弾性力によって上記ケーシング内の高電圧部を保持する請求項２に記載の帯電装置の付属品。
【請求項５】
上記筒状本体の内周を、上記ケーシングの挿入部分外周と一致させるとともに、上記筒状本体は、上記ケーシングの挿入ガイドを備えた請求項１〜４のいずれか１に記載の帯電装置の付属品。
【発明の詳細な説明】
【技術分野】
【０００１】
この発明は、事件現場で足跡などの微物を採取する微物採取に用いられる帯電装置の付属品に関する。
【背景技術】
【０００２】
例えば、犯罪現場に犯人が残した足跡や、毛髪、繊維片など、肉眼での確認が難しい微物を採取するために、静電気を利用することが知られている。
具体的には、採取目的の微物がありそうな個所に樹脂製の吸着シートを被せ、この吸着シートを帯電させてその静電気によって微物を吸着するようにしている。
そして、このような微物採取用の帯電装置は、上記吸着シートを帯電させるためにイオンを放射する放電電極を備えている。この放電電極を吸着シートに近づけて移動させると、上記放電イオンによって、樹脂製の吸着シートに静電気を誘起させることができる（特許文献１，２参照）。
【０００３】
このような従来の非接触式の帯電装置で帯電させる吸着シートは、絶縁性でほとんど電流が流れないため、シートの全面積を帯電させるためには、吸着シートの全面に沿って放電電極を移動させなければならなかった。
しかし、現場によっては、例えば家具のすき間など、放電電極を移動させるスペースが無いような狭い場所の微物を採取する必要があり、そのような場所では、上記したような非接触式の帯電装置ではなく、接触式の帯電装置を用いることもあった。
この接触式の帯電装置とは、高電圧を印加した接触電極を、表面が導電性の吸着シートに接触させて、表面を流れた電流によって吸着シートを帯電させる装置である。
【０００４】
このような接触式の帯電装置は、導電性の吸着シートの１点に接触電極を接触させるだけで、吸着シート全体を帯電させることが可能であるが、導電性の吸着シートからアースへ流れる電流が多くなる。また、導電性の吸着シートが高価であるという問題もある。そのため、狭くて吸着シートに沿って放電電極を移動させにくい現場では接触式の帯電装置、それ以外では非接触式の帯電装置が用いられることが多かった。
【先行技術文献】
【特許文献】
【０００５】
【特許文献１】特開平０４−０１９５３９号公報
【特許文献２】特開２００９−２４０１０１号公報
【発明の概要】
【発明が解決しようとする課題】
【０００６】
上記のように、従来は、微物採取現場の状況によって、非接触式の帯電装置と、接触式の帯電装置とを使い分けるようにしていた。そのため、非接触式と接触式の２つのタイプの帯電装置を用意しなければならず、その搬送が大変だった。
また、２タイプの帯電装置を用意しても、いつでも両方を使用するとは限らないし、例えば、非接触式の帯電装置しか用意しなかった場合には、狭い個所の微物を十分に採取できないこともあった。
この発明の目的は、一つの帯電装置を、非接触型、接触型の両方の帯電装置として使用できるようにする帯電装置の付属品を提供することである。
【課題を解決するための手段】
【０００７】
第１の発明は、ケーシング内に、高電圧源に接続された放電電極を備えた帯電装置に着脱可能にした付属品であって、筒状本体と、この筒状本体の先端から突出した接触電極と、上記筒状本体内において上記接触電極と電気的導通状態を維持するとともに、上記帯電装置の高電圧源に接続するための接続手段とを備え、上記筒状本体内に上記ケーシングを挿入したときに、上記接続手段が上記ケーシング内に侵入して、上記接続手段と上記高電圧源とが電気的に接続される構成にしたことを特徴とする。
【０００８】
第２の発明は、上記接続手段が、上記筒状本体の先端内周から突出した突出部材からなり、この突出部材によって上記ケーシング内の高電圧部を保持することを特徴とする。
【０００９】
第３の発明は、上記接続手段が、上記筒状本体の先端内周から突出した突出部材からなり、この突出部材が、上記ケーシング内の高電圧部で保持されることを特徴とする。
【００１０】
第４の発明は、第２の発明を前提とし、上記突出部材が、互いに対向する一対の板ばね部材からなり、これら板ばね部材がその弾性力によって上記ケーシング内の高電圧部を保持することを特徴とする。
【００１１】
第５の発明は、上記筒状本体の内周を、上記ケーシングの挿入部分外周と一致させるとともに、上記筒状本体は、上記ケーシングの挿入ガイドを備えたことを特徴とする。
【発明の効果】
【００１２】
第１の発明によれば、付属品を帯電装置のケーシングに取り付けることによって、付属品の先端から突出した接触電極に高電圧源が接続され、接触電極を微物の吸着シートに接触させて帯電させることができる。つまり、この発明の付属品を用いることによって、放電イオンを利用する非接触式の帯電装置を接触式の帯電装置としても使用することができるようになる。
そのため、非接触式と、接触式の両方の帯電装置を用意しなくても、現場の状況に応じて、両タイプの帯電装置を使い分けることができる。したがって、微物採取の作業性が向上するとともに、微物採取の精度も向上する。
【００１３】
第２，３の発明によれば、筒状本体に設けた突出部材が、ケーシングの高電圧部に接続されることによって、接触電極を高電圧源と接続することができる。筒状本体側の接続手段がケーシング内に侵入するので、高電圧が印加された高電圧部がケーシングから露出することがなく安全である。
【００１４】
第４の発明によれば、一対の板ばね部材による単純な構成で、帯電装置のケーシング内の高電圧部と接触電極とを接続することができる。特に、板ばね部材の弾性力で高電圧部が保持されるので、接続状態が安定して維持される。
【００１５】
第５の発明によれば、付属品の筒状本体に帯電装置のケーシングを挿入するだけで、両者の位置関係を決めることができる。挿入ガイドにしたがって付属品をケーシングに取り付ければ、付属品の接続手段の位置が、ケーシング内の高電圧部などの位置に自動的に対応し、接続手段と高電圧源との接続ができる。したがって、接触電極と高電圧電源とを接続させるための位置合わせ作業を不要にしながら、接触電極と高電圧源との接続を確実にできる。そのため、付属品を取り付けたのに、接触電極に高電圧が印加されないというようなことも起こらない。
【図面の簡単な説明】
【００１６】
【図１】非接触式の帯電装置の外観図である。
【図２】図１の先端面図である。
【図３】実施形態の付属品の斜視図である。
【図４】付属品の端面図である。
【図５】帯電装置に実施形態の付属品を取り付けた状態の断面図である。
【図６】帯電装置に実施形態の付属品を取り付けた状態の断面図で、図５に直交する面の断面図である。
【図７】図６の部分拡大図である。
【発明を実施するための形態】
【００１７】
図１〜７を用いて、この発明の一実施形態を説明する。
図１は、この実施形態に用いる非接触式の帯電装置の外観図である。
この帯電装置は、円筒状のケーシング１の内部に、図５，６に示す放電電極２と、この放電電極２に印加する高電圧を発生させる電源部３とを組み込んでいる。この電源部３は、この発明の高電圧源であり、ケーシング１に固定された基板４に実装された図示しない高電圧発生回路及びバッテリーとで構成されている。
上記基板４は、ケーシング１において電源部３が組み込まれた側を基端側としたとき、先端側となる部分に矩形の開口部４ａ（図６参照）を形成し、この開口部４ａに、上記放電電極２を架け渡すように固定している。
【００１８】
上記放電電極２は、図５に示すように、一辺に複数の突起２ａを備えた、細長い鋸刃状の金属製の板部材である。その両端を一対の金属ピン５，５に固定し、この金属ピン５を基板４にはんだ付けしている。そして、上記放電電極２は、基板４上の配線を介して上記電源部３の高電圧出力端子に接続されている。
また、この実施形態では、ケーシング１の先端側にも、上記放電電極２とは別の放電電極６を、上記基板４から起立させて設けている。この放電電極６も、上記放電電極２と同様に、複数の突起６ａを備えた鋸刃状の板部材である。そして、この放電電極６も、上記基板４を介して上記電源部３に電気的に接続されている。
上記放電電極２，６は、高電圧が印加されたとき、上記突起２ａ，６ａから放電が発生する。
【００１９】
さらに、ケーシング１には、その先端側の側面に線状の開口１ａを備え、この開口１ａに対応させて上記放電電極２を設け、上記突起２ａを開口１ａに臨ませている。
また、ケーシング１の先端面にも、直径方向の線状の開口１ｂを備え、この開口１ｂに対応させて上記放電電極６を設け、上記突起６ａを開口１ｂに臨ませている。
なお、ケーシング１において、上記開口１ａに対応する側面部分を平坦面１ｃとしている（図１，２参照）。
【００２０】
そこで、上記電源部３から出力する高電圧が上記放電電極２，６に印加されれば、各突起２ａ，６ａで生成された放電イオンが、開口１ａ，１ｂから放出されることになる。
したがって、上記電源部３をオンにして、上記放電電極２で放電イオンを生成させながら、上記開口１ａを吸着シートに沿って移動させれば、放電電極２が吸着シート上を移動し、上記吸着シートを帯電させることができる。
なお、先端側の開口１ｂからも放電イオンが放出されるが、この開口１ｂ及び放電電極６は、比較的狭い範囲を非接触で帯電させる際に有用である。
【００２１】
また、上記ケーシング１の基端側には、アース線リール７を設け、このアース線リール７に、上記基板４のアース端子と接続されたアース線を巻き取って収容している。
この帯電装置を用いる際に、上記アース線リール７からアース線を繰り出して接地すれば、放電を安定させたり、使用者が帯電することを防止したりできる。このようなアース線リール７は、ケーシング１と一体化しなくてもよいが、この実施形態のように一体化することによって、帯電装置と別体のアース線リールを持ち運ぶ必要が無くなる。
【００２２】
上記のような非接触式の帯電装置のケーシング１に、図３，４に示す付属品８を着脱可能にしている。この付属品８は、外観が円柱状で、基端を解放し、先端を閉じた絶縁性樹脂製の筒状本体９と、その先端から突出した接触電極１０とからなる。
上記筒状本体９の内側の先端側壁面には、凹部９ａが形成され、この凹部９ａの底面には、上記接触電極１０の端部が挿入される軸方向孔９ｂを貫通させている。
【００２３】
そして、上記凹部９ａ内には金属製の電極保持部材１１を組み込み、電極保持部材１１の中心に形成したねじ孔１１ａに、上記接触電極１０の基端側に形成したねじ部１０ａをねじ込んで固定している。
また、上記電極保持部材１１には、側面から中心に向かうねじ孔１１ｂを形成し、このねじ孔１１ｂに、筒状本体９の側面を貫通させたねじ部材１２ａをねじ込んで、電極保持部材１１を筒状本体９に固定している。
【００２４】
さらに、上記電極保持部材１１において、接触電極１０と反対側の端面には、互いに対向する一対の板ばね部材１３，１３が固定されている。この板ばね部材１３は、図６，７に示すように、電極保持部材１１の端面に接触する取付片１３ａと、この取付片１３ａから折り曲げて立ち上がらせた挟持片１３ｂとを備えている。上記取付片１３ａを止めねじ１４によって電極保持部材１１の端面に固定し、対向させた一対の挟持片１３ｂを接触させている。これら挟持片１３ｂは、互いに接触した状態で押し付け合う方向の弾性力を発揮する。
【００２５】
また、筒状本体９内には、図４に示すように、断面が弓型で筒状本体９の軸線に沿ったガイド部材１５を固定している。このガイド部材１５は、筒状本体９と同様に絶縁性樹脂製の部材で、筒状本体９の側面を貫通するねじ部材１２ｂ，１２ｃによって筒状本体９に固定されている。なお、図５においては、上記ねじ部材１２ｂ，１２ｃを省略している。
このガイド部材１５によって、筒状本体９の内周が、円周の一部を切り欠いて直線状にした形状となり、上記帯電装置のケーシング１の先端側の外周と一致する。
したがって、上記ガイド部材１５は、筒状本体９にケーシング１を挿入する際の挿入ガイドとして機能し、筒状本体９に挿入されたケーシング１と筒状本体９との円周方向の位置関係が固定される。
ただし、筒状本体９と別部材のガイド部材１５を設ける代わりに、筒状本体９の内周に、一体的に、挿入ガイドとなる部分を形成するようにしてもよい。
【００２６】
さらに、筒状本体９の側面であって、上記ガイド部材１５と対向する側に、一対のボールプランジャ１６を設けている。このボールプランジャ１６はボール１６ａにばね力を作用させた部品で、上記筒状本体９にケーシング１が挿入されていない状態で、ボール１６ａの一部が筒状本体９の内径側に突出している。ケーシング１が筒状本体９に挿入されると、上記ボール１６ａがケーシング１の側面に対して押圧力を発揮し、ケーシング１が固定される。一方、ケーシング１を、筒状本体９から引き抜く場合には、上記ボール１６ａが筒状本体９の外径方向に後退して、ケーシング１の引き抜きを可能にする。
【００２７】
また、ケーシング１が筒状本体９に挿入されたとき、上記電極保持部材１１に固定された板ばね部材１３の挟持片１３ｂが、上記ケーシング１の先端面に形成された開口１ｂからケーシング１内に侵入する位置関係を備えている。そして、上記開口１ｂから侵入した一対の挟持片１３ｂの接触部と、ケーシング１内の放電電極６の位置とを対応させている。したがって、上記ケーシング１を筒状本体９に挿入すると、上記放電電極６が板ばね部材１３の挟持片１３ｂで挟持されることになる。
【００２８】
上記放電電極６は、上記したように、電源部３と電気的に接続されているため、この放電電極６を挟持した挟持片１３ｂと、電極保持部材１１を介して電気的な導通状態を維持した接触電極１０は、高電圧源である電源部３と接続することになる。つまり、この実施形態においては、ケーシング１の先端側の上記放電電極６がこの発明の高電圧部を構成し、板ばね部材１３が接触電極１０を高電圧源に電気的に接続する接続手段であり、突出部材となる。
【００２９】
上記のような付属品８を、帯電装置のケーシング１に取り付ければ、接触電極１０に高電圧を印加することができるため、この接触電極１０を例えば導電性の吸着シートに接触させて帯電させることができる。
また、上記付属品８を取り外せば、上記開口１ａ又は１ｂから放出される放電イオンによって非接触で吸着シートを帯電させることもできる。
【００３０】
このように、上記付属品８を用意しておけば、非接触式の帯電装置を接触式の帯電装置としても利用することができる。したがって、２種類の帯電装置を用意しなくても、微物採取の現場の状況に応じて、非接触式の帯電と接触式の帯電とを使い分けることができる。
そのため、微物採取の現場へ、２種類の帯電装置を携帯する必要がなく、しかも、現場状況に応じた効率的な微物採取作業が可能になる。
【００３１】
なお、上記帯電装置は、ケーシング１の先端側に設けた放電電極６が、上記板ばね部材１３の挟持片１３ｂで挟持される高電圧部を兼ねているが、この放電電極６に替えて上記突起６ａを備えていない接続用の高電圧部を設けてもよい。例えば、長方形の平板部材や、棒部材など、高電圧を印加しても放電しにくい形状の部材を高電圧部とすることもできる。高電圧部を放電しない形状にした場合には、上記付属品８を取り付けずに、非接触式の帯電装置として放電電極２の放電イオンを用いているときに、ケーシング１の先端から放電イオンが放射されて必要以外の部分や、作業者などを帯電させてしまうようなことが起こらない。
【００３２】
ただし、上記実施形態のように、ケーシング１の先端に、高電圧部として上記放電電極６を設けた場合には、開口１ｂからも放電イオンを放出することができるため、非接触で狭い範囲を帯電させることも可能になる。
また、上記帯電装置の先端側の放電電極６は、鋸刃状でなく、例えば針状の放電電極でもよいが、その場合にも、その針状の放電電極を上記挟持片１３ｂで保持することができるし、針状の放電電極が挿入される筒状の金属製部材で保持手段を構成してもよい。
【００３３】
さらに、上記筒状本体９内の接続手段と、この接続手段と接続される、高電圧源に接続されたケーシング１内の高電圧部との形状を反対にして、接続手段がケーシング１内の高電圧部を構成する保持部材で保持される構成にしてもよい。例えば、筒状本体９内の接続手段を板状の突出部材とし、この突出部材を保持する挟持片を備えた板ばね部材を高電圧部としてケーシング１内に設けることもできる。また、上記筒状本体９に棒状の接続手段を設け、これを挿入可能にした筒状の保持部材をケーシング1内の高電圧部としてもよい。
【００３４】
いずれにしても、筒状本体９にケーシング１を挿入したとき、筒状本体９に設けた接続手段が、ケーシング１内に侵入して高電圧部と接続される構成が好ましい。このように、筒状本体９側の接続手段がケーシング１内に侵入すれば、高電圧部をケーシング１から突出させる必要がなく、高電圧が印加された高電圧部がケーシング１の外に露出することがないので、安全である。
【００３５】
さらにまた、上記非接触式の帯電装置の内部構造やケーシング１の形状は、上記の実施形態に限定されない。上記帯電装置は、放電イオンによって被帯電物を帯電させることができる装置であり、付属品の接触電極を高電圧源と電気的に接続可能な構成であればよい。放電電極も鋸刃状の板部材ではなく、例えば複数の電極針で構成してもよいし、ケーシング１の外形も円柱ではなく、多角柱などでもよい。付属品８の内周は、ケーシング１の外周に応じて設計すればよい。
【００３６】
また、上記付属品８をケーシング１に取り付けることによって、接触電極１０が高電圧源に電気的に接続される構成であれば、高電圧源がケーシング１に内蔵されていなくても構わない。例えば、ケーシング１の外部に設けられた高電圧源と接触電極１０とを、上記ケーシング１内の部材を介して接続されるようにしてもよい。
【産業上の利用可能性】
【００３７】
犯罪現場など、様々な微物採取現場での作業性を向上できる。
【符号の説明】
【００３８】
１      （帯電装置の）ケーシング
２      放電電極
３      （高電圧源を構成する）電源部
６      （高電圧部である）放電電極
８      付属品
９      筒状本体
１０      接触電極
１３      ばね部材
１３ａ      取付片
１３ｂ      挟持片
１５      （挿入ガイドを構成する）ガイド部材
【図１】
2017135866.tif 000003
【図２】
2017135866.tif 000004
【図３】
2017135866.tif 000005
【図４】
2017135866.tif 000006
【図５】
2017135866.tif 000007
【図６】
2017135866.tif 000008
【図７】
2017135866.tif 000009